(57)【要約】【課題】調整管の管路外部に露出する部分をできるだけ短くし、工具等で調整管を引っかけるという危険性の発生を少なくすることができると共に、ユニット化の実現を可能にすることができる圧力調整ガバナー装置を提供する。【解決手段】一次側管路ａと二次側管路ｂの間に設けたガバナー本体１のダイヤフラム室に調整管６で管路の二次側流体圧力を導入し、上記ダイヤフラム室に作用する二次側流体圧力の変動に追従してこのガバナー本体１のバルブ４で二次側の流体圧力を一定の範囲に保つようにした圧力調整ガバナー装置Ａであり、上記ガバナー本体１のダイヤフラム室に接続した調整管６の先端側を、二次側管路ｂ内に挿入してその先端を二次側管路ｂ内で開口させている。【選択図】  図１
2004355598.tif 000002
【特許請求の範囲】
【請求項１】
管路の一次側と二次側の間にガバナー本体を設け、このガバナー本体のダイヤフラム室に調整管で管路の二次側流体圧力を導入し、上記ダイヤフラム室に作用する二次側流体圧力の変動に追従してこのガバナー本体のバルブで二次側の流体圧力を一定の範囲に保つようにした圧力調整ガバナー装置において、上記ガバナー本体のダイヤフラム室に接続した調整管の先端側を、二次側管路内に挿入してその先端を二次側管路内で開口させたことを特徴とする圧力調整ガバナー装置。
【請求項２】
上記管路におけるガバナー本体の一次側に入バルブと二次側に出バルブが設けられ、上記調整管は、出バルブに近接した位置で二次側管路内に挿入され、二次側管路内に挿入された部分がこの二次側管路内を下流側に所要長さだけ沿った配置となり、上記調整管の先端が上向きに屈曲し、この上向きに屈曲する部分の周壁をカットすることにより、先端の開口が二次側管路の上流側に向いていることを特徴とする請求項１に記載の圧力調整ガバナー装置。
【発明の詳細な説明】
【０００１】
【発明の属する技術分野】
この発明は、ガス流路の一次側と二次側の間に設けられ、二次側ガス圧力を所定の範囲に保つようにするための圧力調整ガバナー装置に関する。
【０００２】
【従来の技術】
ガスの供給を行うガス管路においては、このガス管路の途中に二次側ガス圧力を駆動源とする圧力調整ガバナー装置を設け、需要による二次側ガス圧力の変動に追従してバルブの開度を調整し、二次側ガス圧力を一定の範囲に保つことが行われている。
【０００３】
従来の直動式圧力調整ガバナー装置Ａは、図５に示すように、管路の途中に、一次側管路ａと二次側管路ｂの間に接続するがバナー本体１と、管路におけるがバナー本体１の一次側に入バルブ２と二次側に出バルブ３が設けられ、上記ガバナー本体１は、周知のように、バルブ４の上部にダイヤフラム機構５を設け、このダイヤフラム機構５のダイヤフラム室が調整管６を介して二次側管路ｂと接続されている。
【０００４】
このような圧力調整ガバナー装置Ａは、ダイヤフラム機構５のダイヤフラム室に作用する二次側ガス圧力の変動に追従してバルブ４の開度を調整し、二次側ガス圧力を一定の範囲に保つようにしている。
【０００５】
ところで、ダイヤフラム機構５のダイヤフラム室に供給する二次側ガス圧力は、二次側管路ｂで二次側ガス圧力が安定した位置の部分から取り出す必要があり、このため、出バルブ３から二次側管路ｂに対する調整管６の接続位置までの距離Ｌは、二次側管路ｂの口径の１０倍を必要とし、二次側管路の口径が５０ｍｍの場合、上記距離Ｌは５００ｍｍとなる。
【０００６】
図５は、従来の直動式圧力調整ガバナー装置Ａにおける地中埋設ガス管路の場合の例であり、調整管６は二次側管路ｂの外部から取り出され、管路の方向に沿って配置された後、ダイヤフラム機構５のダイヤフラム室に接続されている。
【０００７】
図６は、従来の直動式圧力調整ガバナー装置Ａにおける地上型ガス管路の場合の例であり、調整管６は二次側管路ｂから地中の位置で取り出され、地上においてダイヤフラム機構５のダイヤフラム室に接続されている。
【０００８】
【発明が解決しようとする課題】
上記のように、調整管６は二次側ガス圧力を安定した位置で取り出す必要があるため、全長がどうしても長くなり、この長い調整管６が管路の外部に配置されていると、例えば、掘削工事等を行ったときに工具で調整管６を引っかけて破損するという危険がある。
【０００９】
また、圧力調整ガバナー装置Ａは、ユニット化するのがガス管路の構築において便利であるが、長い調整管６はどうしても現場での接続作業が必要になり、上記ユニット化を実現できない要因になっている。
【００１０】
そこで、この発明の課題は、調整管の管路外部に露出する部分をできるだけ短くし、工具等で調整管を引っかけるというような事故の発生を少なくすることができると共に、ユニット化の実現を可能にすることができる圧力調整ガバナー装置を提供することにある。
【００１１】
【課題を解決するための手段】
上記のような課題を解決するため、この発明は、管路の一次側と二次側の間にガバナー本体を設け、このガバナー本体のダイヤフラム室に調整管で管路の二次側流体圧力を導入し、上記ダイヤフラム室に作用する二次側流体圧力の変動に追従してこのガバナー本体のバルブで二次側の流体圧力を一定の範囲に保つようにした圧力調整ガバナー装置において、上記ガバナー本体のダイヤフラム室に接続した調整管の先端側を、二次側管路内に挿入してその先端を二次側管路内で開口させた構成を採用したものである。
【００１２】
上記管路におけるガバナー本体の一次側に入バルブと二次側に出バルブが設けられ、上記調整管は、出バルブに近接した位置で二次側管路内に挿入され、二次側管路内に挿入された部分がこの二次側管路内を下流側に所要長さだけ沿った配置となり、上記調整管の先端が上向きに屈曲し、この上向きに屈曲する部分の周壁をカットすることにより、先端の開口が二次側管路の上流側に向いている構造とすることができる。
【００１３】
上記のように、調整管はその一部を二次側管路内に挿入することにより、管路の外部に露出している部分の長さを短くすることができ、しかも、外部に露出している部分を出バルブに近接した位置に配置することにより、工具等で調整管を引っかけるという危険性の発生を少なくでき、また、調整管を二次側管路内に挿入することにより、ユニット化の実現が可能になる。
【００１４】
また、上記調整管の先端の開口は、周壁を斜めにカットしたり周壁の略半周を上端から軸方向に所定長さカットすることにより形成し、この先端の開口を二次側管路の上流側に向き、かつ、必要に応じて二次側管路の軸線に対して所定の角度で斜めになる配置とし、これにより、二次側ガス流が確実に先端の開口へ流入し、先端の開口に対して二次側ガス流の吸引作用による負圧の発生を防ぎ、正確な二次側ガス流の取り込みが行えるようになっている。
【００１５】
【発明の実施の形態】
以下、この発明の実施の形態を図示例と共に説明する。
【００１６】
図１は、圧力調整ガバナー装置Ａの全体的な外形を示し、図２は、同上の概略線図であり、管路の途中で一次側管路ａと二次側管路ｂの間に接続するガバナー本体１と、管路におけるガバナー本体１の一次側に入バルブ２と二次側に出バルブ３が設けられ、上記ガバナー本体１は、周知のように、バルブ４の上部にダイヤフラム機構５を設け、このダイヤフラム機構５のダイヤフラム室が調整管６を介して二次側管路ｂと接続され、ダイヤフラム機構５のダイヤフラム室に作用する二次側ガス圧力の変動に追従してバルブ４の開度を調整し、二次側ガス圧力を一定の範囲に保つようになっている。
【００１７】
上記ダイヤフラム室と二次側管路ｂを接続する調整管６は、ダイヤフラム室から引き出した部分が出バルブ３に近接した配置となり、この出バルブ３に近接した位置で二次側管路ｂ内に挿入され、二次側管路ｂ内に挿入された部分がこの二次側管路ｂ内を下流側に所要長さだけ沿った配置になっている。
【００１８】
このように、調整管６を二次側管路ｂ内に挿入することにより、管路の外部に露出する調整管６の長さを短くすることができ、また、出バルブ３に沿わせた配置とすることにより、管路の外部に対する突出部分の発生を極力少なくすることができ、工具等で調整管６を引っかけるという事故の発生を効果的に防ぐことができる。
【００１９】
上記調整管６の先端には、上向きに屈曲してその先端が二次側管路ｂの上部内径面に接近する立ち上がり部分６ａを設け、図４（Ａ）乃至（Ｃ）の第１の例では、この立ち上がり部分６ａの周壁を上端から斜めにカットすることにより、先端の開口６ｂが形成され、該開口６ｂが二次側管路ｂの上流側に向くような配置になっている。
【００２０】
図４（Ｄ）に示す第２の例の立ち上がり部分６ａは、立ち上がり部分６ａの周壁の略半周を上端から軸方向に所定長さの位置までカットすることにより先端の開口６ｂを形成している。
【００２１】
上記先端の開口６ｂは、二次側管路ｂの上流側に向き、かつ、使用条件によっては、図４（Ｃ）で示すように、二次側管路ｂの軸線に対して角度αだけ斜めになる配置とし、このような開口６ｂの条件と配置により、二次側のガス流内に位置する先端の開口６ｂに対して、二次側のガス流は確実に流入し、しかも、開口６ｂの周辺を流れる二次側のガス流での吸引作用による調整管６内の負圧の発生を防ぎ、調整管６内に安定した二次側ガス流の取り込みが行えることになる。
【００２２】
なお、開口６ｂの開口面を二次側管路ｂの軸線に対して斜めにする場合の角度αは、二次側管路ｂを流れるガス流の流速等に合わせて任意に設定すればよく、例えば、３０°や４５°等の角度に設定すればよい。
【００２３】
上記のように、調整管６はその一部を二次側管路ｂ内に挿入することにより、管路の外部に露出している部分の長さを短くすることができ、この調整管６の二次側管路ｂ内に挿入した部分の、出バルブ３の端部から先端までの距離Ｌ１  は、二次側管路の口径によって決定されるが、二次側管路の口径が５０ｍｍの場合、上記距離Ｌ１  は３００ｍｍ程度に設定すればよく、出バルブ３に予め所定長さの二次側管路ｂを接続し、この二次側管路ｂ内に調整管６の先端側を挿入しておけば、圧力調整ガバナー装置Ａのユニット化の実現が可能になる。
【００２４】
図３は、直動式圧力調整ガバナー装置Ａにおける地上型ガス管路の場合の例を示し、二次側管路ｂに対して調整管６は出バルブ３の下流側において、出バルブ３に近接した位置で二次側管路ｂ内に挿入され、この挿入された部分は図４と同様の構造を有し、二次側管路ｂの下流側に沿って延びている。
【００２５】
この発明の圧力調整ガバナー装置Ａは、上記のような構成であり、バルブ４をガス管路の一次側と二次側の間に接続し、ダイヤフラム機構５のダイヤフラム室が調整管６で二次側管路ｂと接続される。
【００２６】
この状態で、ダイヤフラム室に作用する二次圧とダイヤフラム機構５のスプリングの力が釣り合っているとき、バルブ４の弁体が一定の開度で停止し、一定量のガスが二次側に流出し、また、ガスの需要が増大すると、二次側の圧力が低下するため、ダイヤフラム室の圧力も低下し、スプリングの力が打ち勝つことでバルブ４の弁体が開方向に移動し、開き量が増えることで管路の二次側が所定の圧力になるまでガス量は増大する。
【００２７】
逆に、ガスの需要量が減少すると、二次側の圧力が上昇するため、ダイヤフラム室の圧力も増大し、スプリングに打ち勝って弁体は閉方向に移動し、管路の二次側が所定の圧力になるようガス流量が減少する。
【００２８】
上記のような作動を得るための、ダイヤフラム機構５のダイヤフラム室に対する二次側圧力の取り込みは、先端側を二次側管路ｂ内に挿入した調整管６によって行われ、二次側のガス流を取り込むこの調整管６の先端の開口６ｂは、二次側圧力の安定した位置にあり、しかも、二次側管路ｂの上流側に向いて開口しているので、正確な二次側圧力を取り込むことができ、圧力調整ガバナー装置Ａによる二次側圧力の制御が精度よく行えることになる。
【００２９】
【発明の効果】
以上のように、この発明によると、圧力調整ガバナー装置において、ガバナー本体のダイヤフラム室に接続した調整管の先端側を、二次側管路内に挿入してその先端を二次側管路内で開口させたので、管路の外部に露出する調整管の長さを短くすることができ、また、調整管の露出部分を出バルブに沿わせた配置とすることにより、管路の外部に対する突出部分の発生を極力少なくすることができ、工具等で調整管を引っかけるという危険性の発生を防ぐことができる。
【００３０】
また、調整管の先端を二次側管路の内部において、二次側圧力の安定位置で開口させることにより、この開口から安定した圧力の二次側圧力を調整管に取り込むことができ、しかも、調整管の先端の開口を二次側管路の上流側に向けることにより、二次側のガス流により発生する負圧で先端の開口が吸引されることがないので、二次側のガス流は調整管の先端の開口へ確実に流入し、正確に二次側圧力を取り込むことにより、二次側圧力の調整精度を大幅に向上させることができる。
【００３１】
さらに、調整管の先端側を二次側管路内に挿入することにより、調整管の外部に露出する部分の長さを短くすることができ、二次側管路と予め組み合わせることにより、圧力調整ガバナー装置のユニット化が実現できる。
【図面の簡単な説明】
【図１】（Ａ）はこの発明に係る圧力調整ガバナー装置の全体を示す正面図、（Ｂ）は同側面図
【図２】この発明に係る圧力調整ガバナー装置の埋設型を示す概略線図
【図３】この発明に係る圧力調整ガバナー装置の地上型を示す概略線図
【図４】（Ａ）はこの発明に係る圧力調整ガバナー装置の調整管を二次側管路内に挿入した部分を拡大すると共に、調整管における先端の開口の第１の例を示す縦断正面図、（Ｂ）は同上における先端部分の縦断側面図、（Ｃ）は同上における先端部分の横断平面図、（Ｄ）は調整管における先端の開口の第２の例を示す斜視図
【図５】従来の圧力調整ガバナー装置における埋設型を示す概略線図
【図６】従来の圧力調整ガバナー装置における地上型を示す概略線図
【符号の説明】
Ａ    圧力調整ガバナー装置
１    ガバナー本体
２    入バルブ
３    出バルブ
４    バルブ
５    ダイヤフラム機構
６    調整管
６ａ  立ち上がり部分
６ｂ  先端の開口
ａ    一次側管路
ｂ    二次側管路
【図１】
2004355598.tif 000003
【図２】
2004355598.tif 000004
【図３】
2004355598.tif 000005
【図４】
2004355598.tif 000006
【図５】
2004355598.tif 000007
【図６】
2004355598.tif 000008